(57)【要約】【課題】水溶性の液体が浸透しやすい帳票やラベルなどの被印刷物に対しても、オフセット可変印刷を可能とするとともに、印刷物の意匠性を向上することができる印刷用シートを提供する。【解決手段】本発明の印刷用シート１０は、基材シート１１と、基材シート１１の少なくとも一方の面１１ａの所定位置に設けられ、基材シート１１に対する水性剤の浸透を抑制する浸透抑制剤からなる少なくとも１つの可変印刷領域１２と、を備えたことを特徴とする。【選択図】図１
2009262502.tif 000002
【特許請求の範囲】
【請求項１】
基材シートと、該基材シートの少なくとも一方の面の所定位置に設けられ、前記基材シートに対する水性剤の浸透を抑制する浸透抑制剤からなる少なくとも１つの可変印刷領域と、を備えたことを特徴とする印刷用シート。
【請求項２】
前記浸透抑制剤は、着色剤を含むことを特徴とする請求項１に記載の印刷用シート。
【請求項３】
前記浸透抑制剤は、充填材と、定着剤と、樹脂と、界面活性剤とを含んでなることを特徴とする請求項１または２に記載の印刷用シート。
【発明の詳細な説明】
【技術分野】
【０００１】
本発明は、印刷用シートに関し、さらに詳しくは、オフセット可変印刷に好適な印刷用シートに関するものである。
【背景技術】
【０００２】
オフセット印刷は、印刷版からインキを直接、紙などの被印刷物に印刷せずに、一旦、インキをゴムブランケットなどの転写体に転写して、転写体から被印刷物にインキを移す印刷方式である。そのため、従来、オフセット印刷では、可変印刷を実施することができなかった。
可変印刷とは、データベースと連動して、個別に印刷内容（印刷情報）を変更しながら印刷する技術である。
【０００３】
可変印刷が可能なオフセット印刷システムとしては、可変印刷を行う領域（可変印刷領域）に対して、インクジェット方式により所定の印刷のネガパターンをなすように水溶性の液体を噴霧し、この可変印刷領域にインキがベタ塗りされた転写体を接触させて、インキを転写する方式が提案されている（例えば、特許文献１参照）。このオフセット印刷システムでは、被印刷物への水溶性の液体の浸透や吸収を抑制して、より鮮明な印刷を行うために、水溶性の液体を噴霧する前の被印刷物の表面（被印刷面）にコーティング剤を塗布することが開示されている。
【特許文献１】国際公開第２００７／０９８１７８号パンフレット
【発明の開示】
【発明が解決しようとする課題】
【０００４】
しかしながら、特許文献１には、被印刷物にコーティング剤を塗布するためのコーティングシステムを備えた印刷システムが開示されているものの、そのコーティングシステムの構成およびコーティング剤についての詳細が記載されておらず、このコーティング技術の有効性、例えば、水溶性の液体が浸透しやすい帳票やラベルなどの被印刷物に対する有効性が明確でなかった。
【０００５】
本発明は、上記事情に鑑みてなされたものであって、水溶性の液体が浸透しやすい帳票やラベルなどの被印刷物に対しても、オフセット可変印刷を可能とするとともに、印刷物の意匠性を向上することができる印刷用シートを提供することを目的とする。
【課題を解決するための手段】
【０００６】
本発明の印刷用シートは、基材シートと、該基材シートの少なくとも一方の面の所定位置に設けられ、前記基材シートに対する水性剤の浸透を抑制する浸透抑制剤からなる少なくとも１つの可変印刷領域と、を備えたことを特徴とする。
【０００７】
前記浸透抑制剤は、着色剤を含むことが好ましい。
前記浸透抑制剤は、充填材と、定着剤と、樹脂と、界面活性剤とを含んでなることが好ましい。
【発明の効果】
【０００８】
本発明の印刷用シートは、基材シートと、該基材シートの少なくとも一方の面の所定位置に設けられ、前記基材シートに対する水性剤の浸透を抑制する浸透抑制剤からなる少なくとも１つの可変印刷領域と、を備えたので、基材シートが、水性剤（水溶性液体）が浸透しやすい媒体（帳票、ラベルなど）であっても、可変印刷領域に対して部分的なオフセット可変印刷が可能となる。また、帳票毎に、可変印刷領域における印刷パターンを変えて、この領域に設けられる印刷情報を変えることにより、偽造防止効果が得られる。さらに、基材シートの少なくとも一方の面において、不連続領域を有する可変印刷領域、を設ければ、この可変印刷領域に水性剤を塗布して、所定の印刷のネガパターンを形成すると、浸透抑制剤の未塗布部分においては、基材シートに水性剤が吸収されて印刷インキが吸収されやすい状態となる。そこで、転写体により、不連続領域も含めて可変印刷領域の印刷面の全面に、印刷インキを面接触させると、可変印刷領域における水性剤が塗布されていない部分および浸透抑制剤の未塗布部分に印刷インキが転写されるので、より意匠性を向上させた印刷物を作製することができる。
【発明を実施するための最良の形態】
【０００９】
本発明の印刷用シートの最良の形態について説明する。
なお、この形態は、発明の趣旨をより良く理解させるために具体的に説明するものであり、特に指定のない限り、本発明を限定するものではない。
【００１０】
図１は、本発明の印刷用シートの一実施形態を示す概略構成図であり、（ａ）は平面図、（ｂ）は（ａ）のＡ−Ａ線に沿う断面図である。
この実施形態の印刷用シート１０は、長方形状の基材シート１１と、基材シート１１の一方の面１１ａの所定位置に設けられた可変印刷領域１２と、基材シート１１の一方の面１１ａの所定位置に、可変印刷領域１２と離隔して設けられた固定印刷情報１３とから概略構成されている。
ここで、印刷用シート１０を平面視した場合、可変印刷領域１２は、基材シート１１の一方の面１１ａにおいて、基材シート１１の長手方向の一端１１ｂ側かつ基材シート１１の右側に設けられている。
【００１１】
基材シート１１としては、水性剤に対して浸透性のあるもので、その一方の面１１ａにおいて、可変印刷領域１２および固定印刷情報１３が設けられた領域以外の領域には、一般的な印刷インキを用いた印刷が可能なものが用いられ、例えば、印刷・筆記・図画用紙（上質紙など）、包装用紙、薄葉紙（インディアペーパー、複写原紙、プリント合成用紙など）、家庭用薄葉紙、雑種紙（連続伝票用紙、電気絶縁紙、色上質紙、濾紙など）等の紙基材などが挙げられる。
【００１２】
また、基材シート１１の形態は、長方形状のものに限定されず、上記の材質からなる基材シートが任意の形状に型抜きされたものであってもよい。
さらに、基材シート１１の色は、特に限定されず、白無地または任意の色調であってよく、あるいは、その一方の面１１ａに罫線や地紋が設けられていてもよい。
【００１３】
可変印刷領域１２は、印刷用シート１０毎に、印刷インキにより異なる印刷情報（可変印刷情報）を印刷するための領域である。
また、可変印刷領域１２は、オフセット印刷システムにおいて用いられる水性剤の基材シート１１に対する浸透（基材シート１１に対する水性剤の浸透しやすさ）を抑制するとともに、疎水性の印刷インキとの結着性（定着性）に優れた浸透抑制剤から構成されている。すなわち、浸透抑制剤は、水性剤（水溶性液体）が浸透しやすい基材シートにおいて、水性剤が基材シートに浸透することなく、基材シートの表面に所定の形状で存在するようにする一方、印刷インキを結着（定着）させる機能を有するものである。言い換えれば、浸透抑制剤は、水性剤を吸収することなく、かつ、水性剤に対する適度の濡れ性も有して、水性剤によって形成された所定の印刷のネガパターンを保持することができるもとともに、印刷インキを結着（定着）させることができるものである。
【００１４】
このような浸透抑制剤は、充填材と、定着剤と、樹脂と、界面活性剤とを必須成分として含んでなるものである。
充填材としては、二酸化ケイ素（シリカ）、二酸化チタン、アルミナ、水酸化マグネシウム、水酸化アルミニウム、炭酸カルシウム、タルク、カオリン、ホワイトカーボン、硫酸バリウムなどが用いられる。
【００１５】
定着剤としては、ポリアクリルアミド、ポリエチレンオキサイドなどの非イオン性ポリマー、ポリアクリル酸ナトリウム、ポリアクリルアミドの部分加水分解塩、アクリルアミド−アクリル酸共重合体、アクリルアミド−２−アクリルアミド−２−メチルプロパンスルホン酸共重合体などの陰イオン性ポリマー、ポリアクリルアミドマンニッヒ変性物、ポリアクリルアミドホフマン分解物、アクリルアミド−ジメチルアミノエチルメタクリレート共重合体（３級塩およびジメチル硫酸またはメチルクロライド４級塩）、アクリルアミド−ジメチルアミノプロピルアクリルアミド共重合体、アクリルアミド−メタクリルアミドプロピルトリメチルアンモニウムクロライド共重合体ポリエチレンイミンなどの陽イオン性ポリマー、アクリルアミド−アクリル酸共重合体のマンニッヒ変性物、ポリアクリルアミドホフマン分解物の加水分解物などの両性ポリマー、（メタ）アクリル酸アミド類、反応性アクリル系モノマー類、架橋性アクリル系モノマー類などのアクリル系モノマー、スチレン系モノマー、少なくとも１以上のアクリロイル基またはメタクリロイル基を有するアクリル化合物のオリゴマー、放射線硬化性第１アクリル化合物などが挙げられる。
【００１６】
樹脂としては、ロジン、セラック、ギルソナイトなどの天然樹脂、硬化ロジン、ロジンエステル、マレイン酸樹脂、フマル酸樹脂などの天然樹脂誘導体、フェノール樹脂、尿素樹脂、メラミン樹脂、ケトン樹脂などの合成樹脂が用いられる。
界面活性剤としては、スチレン−マレイン酸共重合体、オレフィン−マレイン酸共重合体、スチレン−アクリル酸共重合体などをアルカリで中和した水溶性樹脂の水溶液、シリコン樹脂、アルキルケテンダイマー、アルケニル無水コハク酸などが用いられる。
【００１７】
ここで、水性剤としては、水、ゴム液、リン酸ソーダ、正リン酸、第一リン酸アンモニウム、活性剤、有機酸などから構成されるものや、水、エチレングリコール、プロピレングリコール、その他のグリコール類から選択される１種または２種以上からなるものなど、一般的なオフセット印刷システムで用いられるものを使用することができる。
【００１８】
また、浸透抑制剤は、任意の色調の着色剤を含んでいてもよい。着色剤としては、一般的な染料が用いられる。
このようにすれば、基材シート１１の色調や、可変印刷領域１２に転写（塗布）される印刷インキの色調に応じて、可変印刷領域１２の色調を調整して、この領域に印刷される可変印刷情報を際立たせることができる。
【００１９】
固定印刷情報１３は、一般的な印刷インキにより形成され、印刷用シート１０毎に差異がなく、固定された情報である。
【００２０】
次に、この印刷用シート１０を用いたオフセット可変印刷について説明することにより、印刷用シート１０の作用（機能）を説明する。
この印刷用シート１０を用いたオフセット可変印刷では、先ず、可変印刷領域１２の印刷面（表面）１２ａに、インクジェット方式により水性剤を吹き付け（塗布）して、所定の印刷ネガパターンを形成する。なお、水性剤によって形成された印刷ネガパターンは、印刷インキを塗布（定着）させない部分に水性剤を塗布し、印刷インキを塗布（定着）させる部分に水性剤を塗布しないことにより、水性剤からなる層に印刷ネガパターンが開口してなるものである。
【００２１】
次いで、ゴムブランケットなどの転写体により、水性剤が塗布された可変印刷領域１２の印刷面１２ａの全面に、印刷インキを面接触させる。すると、可変印刷領域１２における水性剤が塗布されていない部分に印刷インキが転写される。
次いで、乾燥機などにより可変印刷領域１２に塗布した水性剤を蒸発させ、印刷用シート１０を乾燥させることによって、印刷用シート１０の可変印刷領域１２に所定の印刷情報が印刷された印刷物を得る。
【００２２】
この印刷用シート１０によれば、基材シート１１と、基材シート１１の一方の面１１ａの所定位置に設けられ、基材シート１１に対する水性剤の浸透を抑制する浸透抑制剤からなり、基材シート１１の一方の面１１ａの一部領域をなす可変印刷領域１２と、を備えたので、基材シート１１が、水性剤（水溶性液体）が浸透しやすい媒体（帳票、ラベルなど）であっても、可変印刷領域１２に対して部分的なオフセット可変印刷が可能となる。また、帳票毎に、可変印刷領域１２における印刷パターンを変えて、この領域に設けられる印刷情報を変えることにより、偽造防止効果が得られる。
【００２３】
なお、この実施形態では、基材シート１１の一方の面１１ａにおいて、連続した領域をなす可変印刷領域１２が設けられた印刷シート１０を例示したが、本発明の印刷シートはこれに限定されない。本発明の印刷シートにあっては基材シートの少なくとも一方の面において、不連続領域を有する可変印刷領域、換言すれば、上述のような所定のネガパターンをなし、浸透抑制剤が塗布された部分と塗布されていない部分（未塗布部分）とからなる可変印刷領域が設けられていてもよい。このように不連続領域を有する可変印刷領域を設ければ、この可変印刷領域に水性剤を塗布して、所定の印刷のネガパターンを形成すると、浸透抑制剤の未塗布部分においては、基材シートに水性剤が吸収されて印刷インキが吸収されやすい状態となる。そこで、転写体により、不連続領域も含めて可変印刷領域の印刷面の全面に、印刷インキを面接触させると、可変印刷領域における水性剤が塗布されていない部分および浸透抑制剤の未塗布部分に印刷インキが転写されるので、より意匠性を向上させた印刷物を作製することができる。
【００２４】
また、この実施形態では、基材シート１１の一方の面１１ａに、１つの可変印刷領域１２が設けられた印刷用シート１０を例示したが、本発明の印刷用シートはこれに限定されない。本発明の印刷用シートにあっては、基材シートの一方の面の所定位置に２つ以上の可変印刷領域が設けられていてもよく、あるいは、基材シートの一方の面および他方の面（一方の面とは反対側の面）のそれぞれにおける所定位置に１つ以上の可変情報が設けられていてもよい。このようにすれば、印刷用シート毎に、２つ以上の異なる可変情報を印刷することができ、帳票などの印刷物の意匠性を向上することができる。
【図面の簡単な説明】
【００２５】
【図１】本発明の印刷用シートの一実施形態を示す概略構成図であり、（ａ）は平面図、（ｂ）は（ａ）のＡ−Ａ線に沿う断面図である。
【符号の説明】
【００２６】
１０・・・印刷用シート、１１・・・基材シート、１２・・・可変印刷領域、１３・・・固定印刷情報。
【図１】
2009262502.tif 000003